(57)【特許請求の範囲】
【請求項１】
光源を備え、当該光源から出力される可視光を基に、映像を表示する表示部と、
所定のフレームレートで前記表示部に映像を表示させると共に、前記可視光を前記フレームレートよりも高い周波数で強度変調させ、当該可視光に所定の情報を載せるコントローラと、
映像信号を受信する映像受信機とを備え、
前記表示部は、前記光源としてのバックライトと、前記バックライトからの可視光を空間変調して映像を表示する空間変調器とを備え、
前記コントローラは、前記映像信号に従って前記空間変調器を空間変調させると共に、前記バックライトから出力される可視光を強度変調することで、前記可視光に前記所定の情報を載せ、
前記所定の情報は、前記可視光を前記フレームレートよりも高い複数種類の周波数で強度変調するための複数種類の情報を含み、
前記空間変調器は、複数の表示領域を含み、凸状のレンズ体から構成され、このレンズ体の配列方向が横方向となり、かつ、横方向に移動可能に取り付けられたレンチキュラーレンズを表面に備え、
前記空間変調器の各表示領域から出力された可視光による視聴者からの反射光を各々受光する受光器を更に備え、
前記コントローラは、前記複数種類の情報を用いて強度変調された可視光の各々が、異なる表示領域から出力されるように前記バックライトを制御すると共に、各々の受光器により受光された反射光の位相差を基に、前記視聴者の位置を特定し、特定した視聴者の位置が、立体視領域内となるように前記レンチキュラーレンズを移動させ、
更に、前記コントローラは、前記受光器により受光された反射光の強度に基づいて、前記視聴者の有無を特定し、前記視聴者が存在しない場合は、前記映像表示装置の電源をオフする、又は音声をミュートにする制御を行うことを特徴とする映像表示装置。
【請求項２】
光源を備え、当該光源から出力される可視光を基に、映像を表示する表示部と、
所定のフレームレートで前記表示部に映像を表示させると共に、前記可視光を前記フレームレートよりも高い周波数で強度変調させ、当該可視光に所定の情報を載せるコントローラと、
映像信号を受信する映像受信機とを備え、
前記表示部は、前記光源としてのバックライトと、前記バックライトからの可視光を空間変調して映像を表示する空間変調器とを備え、
前記コントローラは、前記映像信号に従って前記空間変調器を空間変調させると共に、前記バックライトから出力される可視光を強度変調することで、前記可視光に前記所定の情報を載せ、
前記バックライトは、各々波長の異なる複数種類の可視光を出力し、
前記所定の情報は、前記可視光を前記フレームレートよりも高い周波数で強度変調するための情報を含み、
前記空間変調器は、複数の表示領域を含み、凸状のレンズ体から構成され、このレンズ体の配列方向が横方向となり、かつ、横方向に移動可能に取り付けられたレンチキュラーレンズを表面に備え、
前記空間変調器の各表示領域から出力された可視光による視聴者からの反射光を各々受光する受光器を更に備え、
前記コントローラは、表示領域毎に強度変調する可視光の種類が異なるものとなるように前記バックライトを制御すると共に、各々の受光器により受光された反射光の位相差を基に、前記視聴者の位置を特定し、特定した視聴者の位置が、立体視領域内となるように前記レンチキュラーレンズを移動させ、
更に、前記コントローラは、前記受光器により受光された反射光の強度に基づいて、前記視聴者の有無を特定し、前記視聴者が存在しない場合は、前記映像表示装置の電源をオフする、又は音声をミュートにする制御を行うことを特徴とする映像表示装置。
【請求項３】
スピーカを更に備え、
前記コントローラは、特定した視聴者の位置を基に、前記スピーカの音量及び位相を調整することを特徴とする請求項１又は２記載の映像表示装置。
【請求項４】
前記コントローラは、前記受光器により受光された反射光の強度から視聴者の動きを検出することを特徴とする請求項１又は２記載の映像表示装置。
【請求項５】
前記バックライトは、発光ダイオードから構成されることを特徴とする請求項１〜４のいずれかに記載の映像表示装置。
【請求項６】
前記発光ダイオードは、赤、緑、青の発光ダイオードから構成されることを特徴とする請求項５記載の映像表示装置。
【請求項７】
光源を備え、当該光源から出力される可視光を基に、映像を表示する表示部と、
所定のフレームレートで前記表示部に映像を表示させると共に、前記可視光を前記フレームレートよりも高い周波数で強度変調させ、当該可視光に所定の情報を載せるコントローラと、
映像信号を受信する映像受信機とを備え、
前記表示部は、前記光源としてのコヒーレント光源と、前記コヒーレント光源から出力されたコヒーレント光を空間変調する空間変調器と、前記空間変調器により空間変調されたコヒーレント光を投影するスクリーンとを備え、
前記コントローラは、前記映像信号に従って前記空間変調器を空間変調させると共に、前記コヒーレント光を強度変調することで、前記所定の情報を当該コヒーレント光に載せ、
前記所定の情報は、前記可視光を前記フレームレートよりも高い複数種類の周波数で強度変調するための複数種類の情報を含み、
前記スクリーンは複数の表示領域を含み、凸状のレンズ体から構成され、このレンズ体の配列方向が横方向となり、かつ、横方向に移動可能に取り付けられたレンチキュラーレンズを表面に備え、
前記スクリーンの各表示領域から出力された可視光による視聴者からの反射光を各々受光する受光器を更に備え、
前記コントローラは、前記複数種類の情報を用いて強度変調された可視光の各々が、異なる表示領域から出力されるように前記コヒーレント光源を制御すると共に、各々の受光器により受光された反射光の位相差を基に、前記視聴者の位置を特定し、特定した視聴者の位置が、立体視領域となるように前記レンチキュラーレンズを移動させ、
更に、前記コントローラは、前記受光器により受光された反射光の強度に基づいて、前記視聴者の有無を特定し、前記視聴者が存在しない場合は、前記映像表示装置の電源をオフする、又は音声をミュートにする制御を行うことを特徴とする映像表示装置。
【請求項８】
光源を備え、当該光源から出力される可視光を基に、映像を表示する表示部と、
所定のフレームレートで前記表示部に映像を表示させると共に、前記可視光を前記フレームレートよりも高い周波数で強度変調させ、当該可視光に所定の情報を載せるコントローラと、
映像信号を受信する映像受信機とを備え、
前記表示部は、前記光源としてのコヒーレント光源と、前記コヒーレント光源から出力されたコヒーレント光を空間変調する空間変調器と、前記空間変調器により空間変調されたコヒーレント光を投影するスクリーンとを備え、
前記コントローラは、前記映像信号に従って前記空間変調器を空間変調させると共に、前記コヒーレント光を強度変調することで、前記所定の情報を当該コヒーレント光に載せ、
前記コヒーレント光源は、各々波長の異なる複数種類の可視光を出力する複数のコヒーレント光源を含み、
前記所定の情報は、前記可視光を前記フレームレートよりも高い周波数で強度変調するための情報を含み、凸状のレンズ体から構成され、このレンズ体の配列方向が横方向となり、かつ、横方向に移動可能に取り付けられたレンチキュラーレンズを表面に備え、
前記スクリーンの各表示領域から出力された可視光による視聴者からの反射光を各々受光する受光器を更に備え、
前記コントローラは、表示領域毎に強度変調する可視光の種類が異なるものとなるように前記コヒーレント光源を制御すると共に、各々の受光器により受光された反射光の位相差を基に、前記視聴者の位置を特定し、特定した視聴者の位置が、立体視領域となるように前記レンチキュラーレンズを移動させ、
更に、前記コントローラは、前記受光器により受光された反射光の強度に基づいて、前記視聴者の有無を特定し、前記視聴者が存在しない場合は、前記映像表示装置の電源をオフする、又は音声をミュートにする制御を行うことを特徴とする映像表示装置。
【請求項９】
スピーカを更に備え、
前記コントローラは、特定した視聴者の位置を基に、前記スピーカの音量及び位相を調整することを特徴とする請求項７又は８記載の映像表示装置。
【請求項１０】
前記コントローラは、前記受光器により受光された反射光の強度から視聴者の動きを検出することを特徴とする請求項７又は８記載の映像表示装置。
【請求項１１】
前記コヒーレント光源は、半導体レーザ又は波長変換型レーザであり、
前記コントローラは、前記フレームレートよりも高い周波数のキャリア信号を前記付加情報で変調し、変調したキャリア信号で前記半導体レーザ又は前記波長変換型レーザを駆動することを特徴とする請求項７〜１０のいずれかに記載の映像表示装置。
【請求項１２】
前記コヒーレント光源は、赤、緑、青のコヒーレント光源から構成されることを特徴とする請求項７〜１１のいずれかに記載の映像表示装置。
【請求項１３】
光源を備え、当該光源から出力される可視光を基に、映像を表示する表示部と、
所定のフレームレートで前記表示部に映像を表示させると共に、前記可視光を前記フレームレートよりも高い周波数で強度変調させ、当該可視光に所定の情報を載せるコントローラと、
映像信号を受信する映像受信機とを備え、
前記表示部は、マトリックス状に配列され、各画素に対応する発光体から構成され、
前記コントローラは、前記映像信号に従って前記光源を駆動させて前記表示部に映像を表示させると共に、前記光源から出力される可視光を強度変調して、当該可視光に前記所定の情報を載せ、
前記所定の情報は、前記可視光を前記フレームレートよりも高い複数種類の周波数で強度変調するための複数種類の情報を含み、
前記表示部は、複数の表示領域を含み、凸状のレンズ体から構成され、このレンズ体の配列方向が横方向となり、かつ、横方向に移動可能に取り付けられたレンチキュラーレンズを表面に備え、
前記表示部の各表示領域から出力された可視光による視聴者からの反射光を各々受光する受光器を更に備え、
前記コントローラは、前記複数種類の情報を用いて強度変調された可視光の各々が、異なる表示領域から出力されるように前記発光体を制御すると共に、各々の受光器により受光された反射光の位相差を基に、前記視聴者の位置を特定し、特定した視聴者の位置が、立体視領域内となるように前記レンチキュラーレンズを移動させ、
更に、前記コントローラは、前記受光器により受光された反射光の強度に基づいて、前記視聴者の有無を特定し、前記視聴者が存在しない場合は、前記映像表示装置の電源をオフする、又は音声をミュートにする制御を行うことを特徴とする映像表示装置。
【請求項１４】
光源を備え、当該光源から出力される可視光を基に、映像を表示する表示部と、
所定のフレームレートで前記表示部に映像を表示させると共に、前記可視光を前記フレームレートよりも高い周波数で強度変調させ、当該可視光に所定の情報を載せるコントローラと、
映像信号を受信する映像受信機とを備え、
前記表示部は、マトリックス状に配列され、各画素に対応する発光体から構成され、
前記コントローラは、前記映像信号に従って前記光源を駆動させて前記表示部に映像を表示させると共に、前記光源から出力される可視光を強度変調して、当該可視光に前記所定の情報を載せ、
前記発光体は、各々波長の異なる複数種類の可視光を出力する複数の発光体を含み、
前記所定の情報は、前記可視光を前記フレームレートよりも高い周波数で強度変調するための情報を含み、
前記表示部は、複数の表示領域を含み、凸状のレンズ体から構成され、このレンズ体の配列方向が横方向となり、かつ、横方向に移動可能に取り付けられたレンチキュラーレンズを表面に備え、
前記表示部の各表示領域から出力された可視光による視聴者からの反射光を各々受光する受光器を更に備え、
前記コントローラは、表示領域毎に強度変調する可視光の種類が異なるものとなるように前記発光体を制御すると共に、各々の受光器により受光された反射光の位相差を基に、前記視聴者の位置を特定し、特定した視聴者の位置が、立体視領域内となるように前記レンチキュラーレンズを移動させ、
更に、前記コントローラは、前記受光器により受光された反射光の強度に基づいて、前記視聴者の有無を特定し、前記視聴者が存在しない場合は、前記映像表示装置の電源をオフする、又は音声をミュートにする制御を行うことを特徴とする映像表示装置。
【請求項１５】
スピーカを更に備え、
前記コントローラは、特定した視聴者の位置を基に、前記スピーカの音量及び位相を調整することを特徴とする請求項１３又は１４記載の映像表示装置。
【請求項１６】
前記コントローラは、前記受光器により受光された反射光の強度から視聴者の動きを検出することを特徴とする請求項１３又は１４記載の映像表示装置。
【請求項１７】
前記コントローラは、前記映像信号に従った前記光源の駆動信号と、前記所定の情報で前記フレームレートより周波数の高いキャリア信号を変調した変調信号とを合成した信号で前記発光体を駆動することを特徴とする請求項１３〜１６のいずれかに記載の映像表示装置。
【請求項１８】
前記発光体は発光ダイオード又は有機ＥＬであることを特徴とする請求項１３〜１７のいずれかに記載の映像表示装置。
【請求項１９】
前記発光体は、赤、緑、青の発光体であることを特徴とする請求項１３〜１８のいずれかに記載の映像表示装置。
【請求項２０】
前記コントローラは、１ｋＨｚ以上の周波数で前記可視光を強度変調することを特徴とする請求項１〜１９のいずれかに記載の映像表示装置。
【請求項２１】
映像表示装置と視聴者側装置とから構成される映像表示システムであって、
前記映像表示装置は、
光源を備え、当該光源から出力される可視光を基に、映像を表示する表示部と、
前記可視光を前記映像のフレームレートよりも高い複数種類の周波数で強度変調するための複数種類の情報を用いて前記光源からの可視光を強度変調し、複数種類の周波数で強度変調した可視光の各々が、前記表示部の異なる表示領域から出力されるように前記光源を制御するコントローラとを備え、
前記視聴者側装置は、
前記表示部の各表示領域から出力された可視光を各々受光する受光器と、
各々の受光器により受光された反射光の位相差を基に、視聴者の位置を特定する位置特定部とを備え、
前記表示部は、凸状のレンズ体から構成され、このレンズ体の配列方向が横方向となり、かつ、横方向に移動可能に取り付けられたレンチキュラーレンズを備え、
前記視聴者側装置は、前記位置特定部により特定された視聴者の位置情報を前記映像表示装置に送信する送信手段を更に備え、
前記映像表示装置は、前記送信手段により送信された視聴者の位置情報を受信する受信手段を更に備え、
前記コントローラは、前記受信手段により受信された視聴者の位置が、立体視領域内となるように前記レンチキュラーレンズを移動させ、
更に、前記コントローラは、前記受光器により受光された反射光の強度に基づいて、前記視聴者の有無を特定し、前記視聴者が存在しない場合は、前記映像表示装置の電源をオフする、又は音声をミュートにする制御を行うことを特徴とする映像表示システム。
【請求項２２】
映像表示装置と視聴者側装置とから構成される映像表示システムであって、
前記映像表示装置は、
各々波長の異なる複数種類の可視光を出力する光源を備え、当該光源から出力される可視光を基に、映像を表示する表示部と、
前記可視光を前記映像のフレームレートよりも高い周波数で強度変調するための情報を用い、前記表示部の表示領域毎に強度変調する可視光の種類が異なるものとなるように前記光源を制御するコントローラとを備え、
前記視聴者側装置は、
前記表示部の各表示領域から出力された可視光を各々受光する受光器と、
各々の受光器により受光された反射光の位相差を基に、視聴者の位置を特定する位置特定部とを備え、
前記表示部は、凸状のレンズ体から構成され、このレンズ体の配列方向が横方向となり、かつ、横方向に移動可能に取り付けられたレンチキュラーレンズを備え、
前記視聴者側装置は、前記位置特定部により特定された視聴者の位置情報を前記映像表示装置に送信する送信手段を更に備え、
前記映像表示装置は、前記送信手段により送信された視聴者の位置情報を受信する受信手段を更に備え、
前記コントローラは、前記受信手段により受信された視聴者の位置が、立体視領域内となるように前記レンチキュラーレンズを移動させ、
更に、前記コントローラは、前記受光器により受光された反射光の強度に基づいて、前記視聴者の有無を特定し、前記視聴者が存在しない場合は、前記映像表示装置の電源をオフする、又は音声をミュートにする制御を行うことを特徴とする映像表示システム。
【発明の詳細な説明】
【技術分野】
【０００１】
本発明は、液晶テレビ、レーザディスプレイ、有機ＥＬディスプレイなどの映像表示装置に関する。
【背景技術】
【０００２】
近年、携帯電話、ディジタルカメラ、パーソナルコンピュータなどのディジタル機器の普及は著しく、各種機器間を赤外線や可視光を用いてデータ伝送する技術開発も活発に行われている。
【０００３】
例えば、特許文献１には、赤外線データ伝送を用いて、パーソナルコンピュータ等からプリンタにデータを転送する技術が開示されている。また、特許文献２には、公衆電話と携帯電話の間を赤外線によりデータ伝送を行うシステムが開示されている。
【０００４】
また、可視光を用いたデータ伝送として、特許文献３には、ＬＥＤドットマトリックスディスプレイから発せられた可視光を用いてパーソナルコンピュータ間をデータ通信するシステムが開示され、特許文献４には、信号機の青、赤、緑の可視光を用いて、車両速度などの各種情報を車両に光伝送する技術が開示されている。
【０００５】
ところで、近年、従来のＣＲＴテレビに代わって、液晶テレビや背面投射型テレビや有機ＥＬディスプレイなどの薄型大画面の映像表示装置が普及しており、このような映像表示装置では、文字放送や番組情報等の付加情報を容易に入手できるようになっている。
【特許文献１】特開平１０−５６４２７号公報
【特許文献２】特開平９−３６８０５号公報
【特許文献３】特表２００２−５２７９１７号公報
【特許文献４】特開２０００−３４４１０３号公報
【発明の開示】
【発明が解決しようとする課題】
【０００６】
しかしながら、従来の映像表示装置では、このような付加情報は映像表示装置の表示部に表示されるに過ぎず、付加情報を映像表示装置の外部に取り出すようなことはなされていなかった。そのため、付加情報は、映像表示装置において表示可能な情報に制約されてしまうという課題があった。
【０００７】
また、特許文献１、２のように赤外光を用いて付加情報を伝送しようとした場合、赤外線通信を行うための通信手段を別途付加する必要がありコスト高になるという課題もある。
【０００８】
更に、特許文献３に開示された技術では、ＬＥＤドットマトリックスディスプレイを用いた可視光通信が開示されているが、ここで開示されているＬＥＤドットマトリックスディスプレイは、可視光通信部が文字、単語、絵、グラフィックスなどを表示するものであって、テレビのような動画の映像を表示する表示装置を可視光通信に利用したものではない。
【０００９】
更に、特許文献４に開示された技術では、可視光通信がなされているが、これは信号機の可視光を利用したものあるため、動画表示部を可視光通信に利用したものではない。
【００１０】
本発明の目的は、所定のフレームレートで表示される映像に支障をきたすことなく、可視光通信を行い得る映像表示装置及び映像表示システムを提供することである。
【課題を解決するための手段】
【００１１】
本発明による映像表示装置は、光源を備え、当該光源から出力される可視光を基に、映像を表示する表示部と、所定のフレームレートで前記表示部に映像を表示させると共に、前記可視光を前記フレームレートよりも高い周波数で強度変調させ、当該可視光に所定の情報を載せるコントローラとを備えることを特徴とする。
【００１２】
この構成によれば、表示部を構成する光源から出力される可視光が、表示部に表示される映像のフレームレートよりも高い周波数で強度変調されているため、表示される映像に支障をきたすことなく、映像の可視光に所定の情報を載せることができ、可視光通信を実現することができる。また、映像を示す可視光が搬送波として用いられているため、所定の情報を送信するために別途光源等を設ける必要もなくなり、装置の低コスト化及び簡略化を図ることができる。
【発明の効果】
【００１３】
本発明によれば、表示部を構成する光源から出力される可視光が、表示部に表示される映像のフレームレートよりも高い周波数で強度変調されているため、表示される映像に所定の情報を載せた可視光通信を実現することができる。また、映像を示す可視光が搬送波として用いられているため、所定の情報を送信するために別途光源等を設ける必要もなくなり、装置の低コスト化及び簡略化を図ることができる。
【発明を実施するための最良の形態】
【００１４】
以下本発明の実施の形態による映像表示装置について図面を参照して説明する。
【００１５】
（実施の形態１）バックライトディスプレイ
図１は、本発明の実施の形態１による映像表示装置が適用された映像表示システムの全体構成図を示している。この映像表示システムは、映像表示装置１と受光器１５と付加情報発生器１６とを備えている。図１に示す映像表示装置１は、液晶テレビ等の映像表示装置であり、映像受信機１１、コントローラ１２、バックライト１３、及び空間変調器１４を備えている。映像受信機１１は、放送局から送信されるテレビ等の映像の電波を受信して復調してベースバンド信号を抽出し、コントローラ１２に出力する。ここで、ベースバンド信号には、映像信号と音声信号と付加情報とが含まれる。
【００１６】
付加情報としては、番組情報、臭い情報、文字情報、音声情報、刺激情報、痛み情報、多国語情報等が挙げられる。番組情報は、テレビの番組表や番組の内容を紹介する情報である。臭い情報は、料理番組やグルメ番組において紹介される料理の臭いを説明するために、或いは臭いを再現する装置にその臭いを再現させるために、放送局が映像信号及び音声信号に付随して送信するデータである。痛み情報は、格闘技番組やスポーツ番組において競技者に生じた痛みを説明するために、放送局が映像信号及び音声信号に付随して送信するデータである。多国語情報は、出演者の会話の内容を１又は複数の国の言語で翻訳した際、その翻訳内容を示す音声情報又は文字情報である。ここで、付加情報として、音声信号に含まれる会話の内容を表す文字情報を含ませても良い。
【００１７】
コントローラ１２は、ベースバンド信号から映像信号と音声信号と付加情報とを分離し、映像信号に従って空間変調器１４を制御して映像を表示させ、音声信号に従った音声を図略のスピーカから出力させる。また、コントローラ１２は、バックライト１３を強度変調することによりバックライト１３から出力される可視光に付加情報を載せる。
【００１８】
バックライト１３は、青、緑、及び赤の光を発光する３つの発光ダイオードを備える白色発ダイオードから構成され、コントローラ１２の制御の下、付加情報が載った可視光を空間変調器１４に出力する。
【００１９】
空間変調器１４は、アクティブマトリックス方式の液晶パネルから構成され、コントローラ１２の制御の下、映像信号に従って各画素の透過光量を調整して映像を表示する。
【００２０】
受光器１５は、ＳｉのＰＩＮフォトダイオードや、高感度のアバランシェフォトダイオード等から構成され、空間変調器１４が表示する映像の可視光を受光し、受光した可視光を復調することで、可視光に載せられた付加情報を抽出する。
【００２１】
付加情報発生器１６はスピーカ、ヘッドホン等の音声再生装置、表示装置、臭い再現装置等から構成され、受光器１５により抽出された付加情報を出力する。ここで、表示装置としては例えば携帯電話の表示部程度のサイズを有する表示装置を採用することができる。臭い再現装置は、臭い情報に従って、その臭いを再現する装置である。また、付加情報発生器１６は、テレビのリモコンのような筐体内部に、スピーカ、表示装置、及び臭い再現装置の少なくともいずれか一つを内蔵すると共に、受光器１５を内蔵する等して専用の装置として構成してもよいし、テレビの表示装置を備えるリモコンに、スピーカ、臭い再現装置のすくなくともいずれか一つを内蔵させると共に、受光器１５を内蔵させて構成してもよい。
【００２２】
更に、付加情報として刺激情報を含ませると共に、付加情報発生器１６にハプティクデバイスを採用し、この刺激情報に従ってハプティクデバイスを駆動させ、視聴者に刺激を伝達する構成を採用してもよい。
【００２３】
図２は、図１に示す映像受信機１１に電波を送信する送信システムの一例を示す図面である。図２に示すように送信システムは、ビデオ３１ｖ、キャリア信号発生器３２ｖ、及び変調器３３ｖを備えている。
【００２４】
ビデオ３１ｖは、０〜４．５ＭＨｚの周波数帯域を使用するアナログ、またはディジタルの映像信号と、映像信号の周波数帯域より高周波側の周波数帯域を使用する音声信号と、音声信号の周波数帯域より高周波側の周波数帯域を使用する付加情報とを含むベースバンド信号を変調器３３ｖに出力する。ここで、ベースバンド信号がディジタルの信号である場合、このベースバンド信号に含まれる映像信号の時間的変化を図示すると、例えば（ａ）のようになり、映像信号が階段状に変化していることが分かる。また、ベースバンド信号がアナログの信号である場合、ベースバンド信号に含まれる映像信号の時間的変化を図示すると、例えば（ｂ）のようになり、映像信号が連続的に変化していることが分かる。
【００２５】
キャリア信号発生器３２ｖは、所定周波数（例えば９３ＭＨｚ）のキャリア信号を生成する発振回路である。変調器３３ｖは、ビデオ３１ｖから出力されたベースバンド信号で、キャリア信号発生器３２ｖにより生成されたキャリア信号を変調し、変調したキャリア信号を図略のアンテナから電波として復調器１１１に出力する。ここで、変調されたベースバンド信号の周波数特性を図示すると、例えば（ｃ）のようになる。（ｃ）に示すように変調されたベースバンド信号は、キャリア信号の周波数が９３ＭＨｚであるため、９３ＭＨｚを中心として、左右対称な釣り鐘状の波形を有していることが分かる。
【００２６】
映像受信機１１の復調器１１１は、変調器３３ｖから送信された電波を復調し、ベースバンド信号を抽出し、コントローラ１２に出力する。ここで、ベースバンド信号がディジタルの信号である場合、このベースバンド信号に含まれる映像信号の時間的変化を図示すると、例えば（ｄ）のようになり、（ａ）と同様のディジタルの映像信号が抽出されていることが分かる。また、ベースバンド信号がアナログの信号である場合、このベースバンド信号に含まれる映像信号の時間的変化を図示すると、例えば（ｅ）のようになり、（ｂ）と同様の映像信号が抽出されていることが分かる。
【００２７】
図３は、アナログのベースバンド信号を処理するコントローラ１２の詳細な構成を示すブロック図である。図３に示すようにコントローラ１２は、ローパスフィルタ１２１、ハイパスフィルタ１２２、液晶コントローラ１２３、バックライトコントローラ１２４、キャリア信号発生器１２５、バンドパスフィルタ１２６、及び音声コントローラ１２７を備えている。
【００２８】
ローパスフィルタ１２１は、（ａ）に示すように映像信号の最大周波数である４．５ＭＨｚ以下の周波数の信号を通過する特性を有し、映像受信機１１より出力されたベースバンド信号から映像信号を抽出して液晶コントローラ１２３に出力する。バンドパスフィルタ１２６は、（ｃ）に示すように、映像信号の最大周波数である４．５ＭＨｚ以上であって、予め定められた音声信号の周波数帯域を通過する特性を有し、映像受信機１１より出力されたベースバンド信号から音声信号を抽出し、音声コントローラ１２７に出力する。
【００２９】
ハイパスフィルタ１２２は、（ｂ）に示すように、音声信号の最大周波数以上の周波数の信号を通過する特性を有し、映像受信機１１より出力されたベースバンド信号から付加情報を抽出し、バックライトコントローラ１２４に出力する。
【００３０】
これにより、ベースバンド信号は、映像信号と音声信号と付加情報とに分離される。
【００３１】
キャリア信号発生器１２５は、１ＭＨｚのキャリア信号を生成する発振回路である。バックライトコントローラ１２４は、ハイパスフィルタ１２２から出力された付加情報でキャリア信号発生器１２５により生成されたキャリア信号を変調し、この変調信号によりバックライト１３を構成する発光ダイオードを駆動し、バックライト１３から可視光を出力させる。これにより付加情報の載った可視光がバックライト１３より出力される。ここで、バックライトコントローラ１２４は、青色、緑色、赤色の３つの発光ダイオードのうち、少なくともいずれか１つ変調すればよく、必ずしも全ての発光ダイオードを変調する必要はない。例えば、緑色の発光ダイオードのみを変調する場合、図１に示す受光器１５の前に緑色の光を透過するフィルタを挿入すれば、付加情報をより確実に受信することができる。
【００３２】
液晶コントローラ１２３は、映像信号に従って空間変調器１４を制御し、空間変調器１４に映像を表示させる。ここで、映像信号は、３０フレーム／秒で出力され、付加情報は３０フレーム／秒よりも高い周波数である１ＭＨｚで変調されているため、付加情報は空間変調器１４に表示される映像に影響を及ぼさない。音声コントローラ１２７は、視聴者からの操作指令に従って、音声信号の利得を調整するアンプ等を備え、バンドパスフィルタ１２６から出力された音声信号の利得を調整して、スピーカに出力する。
【００３３】
なお、映像受信機１１がディジタル式の映像受信機１１である場合、図３に示すアナログのベースバンド信号を処理するコントローラ１２に代えて図４に示すディジタルのベースバンド信号を処理するコントローラ１２ａを採用してもよい。図４はディジタルのベースバンド信号を処理するコントローラ１２ａの詳細な構成を示すブロック図である。コントローラ１２ａは、データ抽出部１２１ａ、音声コントローラ１２２ａ、液晶コントローラ１２３ａ、バックライトコントローラ１２４ａ、及びキャリア信号発生器１２５ａを備えている。
【００３４】
データ抽出部１２１ａは、映像受信機１１から出力されたディジタルのベースバンド信号から、映像信号、音声信号、及び付加情報を抽出する。音声コントローラ１２２ａは、データ抽出部１２１ａにより抽出された音声信号をスピーカから出力する。液晶コントローラ１２３ａは、データ抽出部１２１ａにより抽出された映像信号に従って空間変調器１４を構成する各画素の透過光量を制御して、空間変調器１４に映像を表示させる。
【００３５】
キャリア信号発生器１２５ａは、１ＭＨｚのキャリア信号を生成する発振回路である。バックライトコントローラ１２４ａは、データ抽出部１２１ａにより抽出された付加情報を１ｋＨｚの周期でサンプリングし、サンプリングした付加情報で、キャリア信号発生器１２５ａにより生成されたキャリア信号を変調して変調信号を生成し、この変調信号によりバックライト１３を駆動する。
【００３６】
図５は、コントローラ１２ａの処理の流れを示す図面である。（ａ）に示すように映像受信機１１から出力されるディジタルのベースバンド信号には、映像信号、音声信号、及び付加情報が含まれている。そして、（ａ）に示す付加情報は、データ抽出部１２１ａにより抽出され、（ｂ）において、１ｋＨｚの周期でサンプリングされ、（ｃ）において、１ＭＨｚのキャリア信号を振幅変調或いは位相変調する。この変調信号を用いて、バックライト１３を駆動すると、バックライト１３から、（ｄ）に示すある強度レベルを中心に１ＭＨｚの正弦波が振幅変調或いは位相変調された可視光が出力される。これにより、バックライト１３から出力される可視光に付加情報が載ることになる。
【００３７】
次に、本実施の形態による映像表示装置１の動作について図１を用いて説明する。映像受信機１１により、１Ｈ（水平走査）分の映像信号が出力されると、コントローラ１２は、空間変調器１４が備えるＴＦＴ（薄膜トランジスタ）をスイッチングし、映像信号に応じた駆動電圧を各画素に印加し、各画素の透過光量を変化させる。
【００３８】
ここで、駆動電圧は、例えば８ｂｉｔ（２５６階調）で表される。通常の液晶パネルを採用する映像表示装置では、発光ダイオードからなるバックライトは変調されることなく常に点灯しているが、本映像表示装置１では、バックライト１３は、付加情報で変調された１ＭＨｚのキャアリア信号により駆動されている。ここで、キャリア信号の周波数は１ＭＨｚであり、映像信号のフレームレートである３０フレーム／秒よりも高い周波数である。そのため、バックライト１３から出力される可視光に付加情報を載せても、空間変調器１４が表示する映像に影響を及ぼさず、映像を見ている人間にとっては連続発光と同じように映像を見ることができる。
【００３９】
なお、キャリア信号の周波数は１ＭＨｚとしたが、これに限定されず、映像信号のフレームレートである３０フレーム／秒より高い周波数であれば、例えば、１ｋＨｚ程度の周波数でもよく、好ましくは１ｋＨｚ以上、より好ましくは１０ｋＨｚ以上である。一方、バックライト１３の平均出力が一定となるように付加情報を変調した場合、発光ダイオードの遮断周波数は１００ＭＨｚ程度であるため、キャリア信号の周波数としては１０ＭＨｚ以下が好ましく、より好ましくは１ＭＨｚである。そのため、本実施の形態では、変調周波数として１ＭＨｚを採用している。
【００４０】
空間変調器１４に表示された映像を表す可視光は、受光器１５により受光された後、復調されて付加情報が抽出され、付加情報発生器１６に出力される。付加情報発生器１６は、付加情報が臭い情報であれば、臭い再現装置により臭いを再現させる、或いは表示装置に臭いを説明する文字を表示させる。また、付加情報が痛み情報であれば、表示装置にその痛みを説明する文字を表示させる。また、付加情報が多国語情報であれば、翻訳内容を示す音声情報をスピーカから出力させる、或いは翻訳内容を示す文字を表示装置に表示させる。また、付加情報が刺激情報であれば、ハプティクデバイスを駆動させる。また、付加情報が番組情報であれば表示装置にその番組情報を表示させる。
【００４１】
以上説明したように、実施の形態１による映像表示装置１によれば、映像受信機１１により受信された映像信号から付加情報を抽出し、抽出した付加情報で１ＭＨｚのキャリア信号を変調し、得られた変調信号によりバックライト１３が駆動されるため、バックライト１３からの可視光には付加情報が載る結果、空間変調器１４に表示される映像を表す可視光には付加情報が含まれることになる。そのため、この映像を表す可視光を受光器１５で受光して復調すると、この可視光から付加情報を抽出することができ、これにより、テレビ等の映像表示装置を用いた可視光通信を実現することができる。
【００４２】
また、本映像表示によれば、バックライトである可視光を搬送波として利用しているため、付加情報を送信するために新たに赤外線の送信機を映像表示装置に取り付けなくとも、映像信号に付随して送信される付加情報を伝達することができる。そのため、装置の簡便化及び低コスト化を図ることができる。
【００４３】
なお、真っ暗のシーンを表示する場合、空間変調器１４は光を透過させないため、受光器１５は可視光を受信することができず、付加情報を送信することができなくなる。そこで、真っ暗のシーンを表示する場合、液晶コントローラ１２３ａは、空間変調器１４を透過する可視光の強度が、受光器１５で検出できない強度以下とならないように、ある程度可視光が透過されるように、空間変調器１４を制御することが好ましい。また、バックライト１３として、発光ダイオードに代えて、有機ＥＬ（Electro Luminescence）を採用してもよい。
【００４４】
（実施の形態２）レーザディスプレイ
次に本発明による映像表示装置をレーザディスプレイに適用した実施の形態２による映像表示装置について説明する。図６は実施の形態２による映像表示装置１ｂが適用された映像表示システムの全体構成図を示している。この映像表示システムは、映像表示装置１ｂと受光器１５と付加情報発生器１６とを備えている。なお、実施の形態１と同一のものは同一の符号を付し、説明を省略する。本映像表示装置１ｂは、青色コヒーレント光源（以下、Ｂコヒーレント光源と称する。）５１、緑色コヒーレント光源５２（以下、Ｇコヒーレント光源と称する。）、赤色コヒーレント光源５３（以下、Ｒコヒーレント光源と称する。）、２個のビームスプリッタ５４，５５、２個のレンズ５６，５７、空間変調器５８、スクリーン５９、及びコントローラ１２ｂを備えている。
【００４５】
Ｂコヒーレント光源５１及びＧコヒーレント光源５２は、ＧａＮ系半導体レーザから構成され、各々中心波長が４１０〜４８０ｎｍの青色のレーザビーム（以下、Ｂレーザビームと称する。）及び中心波長が５００〜５５０ｎｍの緑色のレーザビーム（以下、Ｇレーザビームと称する。）を出力する。Ｒコヒーレント光源５３は、ＡｌＧａＩｎＰ系半導体レーザから構成され、中心波長が６１０〜６７０ｎｍの赤色のレーザビーム（以下、Ｒレーザビームと称する。）を出力する。ビームスプリッタ５４は、Ｂコヒーレント光源５１から出力されるＢレーザビームとＧコヒーレント光源５２とから出力されるＧレーザビームとを合波して、ビームスプリッタ５５に導く。
【００４６】
ビームスプリッタ５５は、ビームスプリッタ５４により合波されたレーザビームと、Ｒコヒーレント光源５３より出力されたＲレーザビームとを合波してレンズ５６に導く。これにより、Ｂ〜Ｒコヒーレント光源５１〜５３から出力された３本のレーザビームは１本のレーザビームに合波され白色光となる。
【００４７】
レンズ５６は、ビームスプリッタ５５により合波された白色のレーザビームを空間変調器５８に導く。空間変調器５８は、ＤＭＤ（Digital Micro-Mirror Device）から構成される。ＤＭＤは、ＣＭＯＳ半導体デバイス上に、独立して高速に動くマトリックス状に敷き詰められた数百万個の超微小ミラー（１画素に対応し、１７μｍ程度のサイズを有する）から構成され、この超微小ミラーにより反射したレーザビームを、レンズ５７を通してスクリーン５９に投影する。
【００４８】
レンズ５７は空間変調器５８により反射されたレーザビームをスクリーン５９に導く。スクリーン５９は、空間変調器５８により反射されたレーザビームによって表される映像を表示する。
【００４９】
コントローラ１２ｂは、映像表示装置１ｂの全体の制御を行う。図７は、図６に示すコントローラ１２ｂの詳細な構成を示すブロック図である。なお、図７において、実施の形態１による映像表示装置１のコントローラ１２ａ（図４）と同一のものは同一の符号を付し、説明を省略する。コントローラ１２ｂは、液晶コントローラ１２３ａに代えて、ＤＭＤコントローラ１２３ｂを備えると共に、バックライトコントローラ１２４ａに代えて、レーザコントローラ１２４ｂを備えていることを特徴としている。
【００５０】
ＤＭＤコントローラ１２３ｂは、データ抽出部１２１ａにより抽出された映像信号に従って、空間変調器５８であるＤＭＤを構成する各微小ミラーを傾斜させ、スクリーン５９上に映像を表示させる。レーザコントローラ１２４ｂは、データ抽出部１２１ａにより抽出された付加情報で１ｋＨｚの周期でサンプリングし、サンプリングした付加情報で、キャリア信号発生器１２５ａにより生成されたキャリア信号を変調して変調信号を生成し、この変調信号によりＢ〜Ｒコヒーレント光源５１〜５３を駆動する。これにより、Ｂ〜Ｇレーザビームに付加情報が載ることになる。
【００５１】
ここで、Ｂ〜Ｒコヒーレント光源５１〜５３の全てを変調信号により駆動して、青、緑、赤のレーザビームの全てに付加情報を載せても良いし、いずれか２個のコヒーレント光源を変調信号により駆動して、いずれか２つのレーザビームに付加情報を載せても良いし、いずれか１個のコヒーレント光源を変調信号により駆動して、いずれか１つのレーザビームに付加情報を載せてもよい。例えば、Ｇレーザビームのみに付加情報を載せる場合、受光器１５の前に緑色のみを透過するフィルタを挿入すれば、付加情報をより正確に受信することができる。
【００５２】
以上説明したように実施の形態２による映像表示装置１ｂによれば、実施の形態１による映像表示装置１と同様、レーザディスプレイを用いた可視光通信を実現することができる。また、半導体レーザの変調帯域は発光ダイオードの変調帯域に比べて高周波まで可能であるため、キャリア信号発生器１２５ａに１ＭＨｚよりも周波数の高いキャリア信号を生成させることにより、より高速の可視光通信が可能となり、より多くの付加情報情報を可視光に含ませることができる。
【００５３】
なお、上記実施の形態では、Ｂ〜Ｒコヒーレント光源５１〜５３として、半導体レーザを採用したが、これに限定されず、ガスレーザを採用してもよい。この場合、図８に示すように、Ｂコヒーレント光源５１とビームスプリッタ５４との間のレーザビームの光路上にＢレーザビームを外部変調する外部変調素子６１を配設し、Ｇコヒーレント光源５２とビームスプリッタ５４との間にＧレーザビームを外部変調する外部変調素子６２を配設し、Ｒコヒーレント光源５３とビームスプリッタ５５との間にＲレーザビームを外部変調する外部変調素子６３を配設すればよい。
【００５４】
ここで、外部変調素子６１〜６３としては、音響光学変調器（ＡＯＭ；acousto-optic modulator）、磁気共鳴変調器（ＭＯＭ；magnet-optic modulator）、電気光学素子（ＥＯＭ；Electro-optics modulator）を採用することができる。
【００５５】
そして、コントローラ１２ｂは、付加情報に応じたレベルの制御信号を外部変調素子６１〜６３に出力し、Ｂ，Ｇ，Ｒレーザビームに付加情報が載るように、Ｂ，Ｇ，Ｒレーザビームを変調すればよい。この場合、Ｂ，Ｇ，Ｒコヒーレント光源５１〜５３のうちいずれか１個又は２個のコヒーレント光源を半導体レーザにより構成し、残りのコヒーレント光源をガスレーザにより構成してもよい。但し、この場合、上記残りのコヒーレント光源には外部変調素子が必要となる。
【００５６】
更に、Ｂ〜Ｒコヒーレント光源５１〜５３として、波長変換型のコヒーレント光源を採用してもよい。ここで、波長変換型のコヒーレント光源とは、高出力レーザビームを非線形光学結晶に入射し、第２高調波を発生し、短波長コヒーレント光を得る光源のことをいう。第２高調波を発生させる手法として、結晶そのものに基本波光を入射して波長変換を行うバルク方式、結晶に導波路を形成して導波路内で波長変換を行う導波路方式などが知られているが、本発明ではいずれの方式を採用してもよい。
【００５７】
バルク方式の波長変換型のコヒーレント光源は、励起用半導体レーザと固体レーザ媒質と波長変換素子と出力ミラーとから構成される。ここで、固体レーザ媒質としては、例えばＮｄ：ＹＡＧやＮｄ：ＹＶＯ４が用いられ、波長変換素子として、例えばＱＰＭ（Quasi-phase-matching）−ＳＨＧ(second harmonic generator)素子が用いられる。
【００５８】
なお、ＤＭＤの代わりに、強誘電体液晶からなるＬＣＯＳ（Liquid Crystal On Silicon）を用いても同様の構成が実現できる。また、空間変調器５８としては、反射型空間変調器の代わりに、高温ポリシリコンから構成される透過型の液晶空間変調器を用いても良い。
【００５９】
（実施の形態３）映像表示装置間の可視光通信
次に実施の形態３による映像表示装置について説明する。実施の形態３による映像表示装置は、映像表示装置自体に受光器を配設し、映像表示装置間で可視光通信を行うことを特徴としている。図９は、実施の形態３による映像表示装置が適用された映像表示システムの構成を示す図面である。図９に示す映像表示システムは、映像表示装置Ａと映像表示装置Ｂとを備えている。映像表示装置Ａは、テレビのリモコン、携帯電話、ＰＤＡ等であり、表示部３１、操作部３２、及び受光器３３を備えている。以下の説明では、映像表示装置Ａを携帯電話に適用し、映像表示装置Ｂをテレビに適用した場合を例に挙げて説明する。なお、映像表示装置Ｂは、実施の形態１で示す映像表示装置１に受光器４２を具備させたものである。
【００６０】
図１０は、映像表示装置Ａのブロック構成図を示している。映像表示装置Ａは、映像受信機１１ｃ、コントローラ１２ｃ、バックライト１３ｃ、空間変調器１４ｃ、操作部３２、及び受光器３３を備えている。
【００６１】
操作部３２は、電源ボタン、テンキー等から構成され、視聴者からの種々の操作指令を受け付ける。受光器３３は、映像表示装置Ｂが表示する映像を示す可視光を受光し、受光した可視光を復調し、可視光に含まれる付加情報を抽出する。
【００６２】
映像受信機１１ｃは、テレビ局が送信する電波を受信し、受信した電波を復調してベースバンド信号を抽出し、コントローラ１２ｃに出力する。ここで、このベースバンド信号には、実施の形態１のベースバンド信号と同様、映像信号、音声信号、及び付加情報が含まれる。
【００６３】
コントローラ１２ｃは、バックライト１３ｃ及び空間変調器１４ｃを制御して、空間変調器１４ｃに映像を表示させる。ここで、コントローラ１２ｃは、映像受信機１１ｃにより受信された電波に含まれる映像や、携帯電話の操作画面等の映像を空間変調器１４ｃに表示させる。また、コントローラ１２ｃは、付加情報で所定周波数（例えば１ＭＨｚ）のキャリア信号を変調し、変調信号を生成し、バックライト１３ｃを駆動させ、バックライト１３ｃから出力される可視光に付加情報を載せる。
【００６４】
ここで、コントローラ１２ｃは、映像受信機１１ｃから出力されたベースバンド信号に含まれる付加情報を可視光に載せてもよいし、操作部３２によって受け付けられたユーザからの操作指令に従って付加情報を生成し、生成した付加情報を可視光に載せても良い。操作部３２が受け付ける操作指令としては、映像表示装置Ｂを操作するための操作コマンド等が挙げられる。
【００６５】
バックライト１３ｃは、実施の形態１と同様、白色発光ダイオードから構成され、コントローラ１２ｃの制御の下、付加情報が載った可視光を空間変調器１４ｃに出力する。
【００６６】
空間変調器１４ｃは、実施の形態１と同様、コントローラ１２ｃの制御の下、映像信号に従って各画素の透過光量を調整して映像を表示する。そして、この映像を示す可視光は映像表示装置Ｂの受光器４２によって受光される。なお、バックライト１３ｃと空間変調器１４ｃとにより図９に示す表示部３１が構成される。
【００６７】
映像表示装置Ｂは、図９に示すように表示部４１及び受光器４２を備えている。受光器４２は、図９に示すように映像表示装置Ｂの前面（空間変調器１４が配設された面と同一面）であって、表示部４１の周囲（例えば左下）に配設されている。
【００６８】
図１１は、映像表示装置Ｂのブロック構成図を示している。映像表示装置Ｂは、映像受信機１１ｄ、コントローラ１２ｄ、バックライト１３ｄ、空間変調器１４ｄ、及び受光器４２を備えている。映像受信機１１ｄは、映像受信機１１ｃ同様、テレビ局から送信された電波を受信して復調してベースバンド信号を抽出し、コントローラ１２ｄに出力する。受光器４２は映像表示装置Ａの表示部３１が表示する映像を示す可視光を受光し、この可視光に載せられた付加情報を抽出し、コントローラ１２ｄに出力する。バックライト１３ｄ、空間変調器１４ｄは図１に示すバックライト１３、空間変調器１４と同一構成であるため、説明を省略する。また、コントローラ１２ｄは、受光器４２により抽出された付加情報がコマンドを示す場合、このコマンドが空間変調器１４ｄに表示されるように、空間変調器１４ｄを制御すると共に、付加情報が示す操作コマンドに従って、映像表示装置Ｂに種々の制御を行う。
【００６９】
例えば操作コマンドがスピーカのボリュームを調整するための操作コマンドであれば、コントローラ１２ｄは、操作コマンドに従って音声信号の利得を調節して、スピーカに出力すればよいし、操作コマンドがチャンネルを選局する操作コマンドであれば、コントローラ１２ｄは、映像受信機１１ｄが操作コマンドによって示されるチャンネルを受信するように映像受信機１１ｄを制御すればよい。
【００７０】
以上説明したように実施の形態３による映像表示装置によれば、映像表示装置Ａ，Ｂの各々に受光器３３，４２を配設したため、映像表示装置Ａ，Ｂの表示部３１，４１を向かい合わせるようにして、映像表示装置Ａ及び映像表示装置Ｂ間において双方向のデータ通信を行わせることができる。
【００７１】
また、実施の形態３による映像表示システムによれば、災害時の電話回線の混線状態時に、テレビ回線を利用して、携帯端末間の情報のやり取りを行える。
【００７２】
なお、上記説明では、映像表示装置Ｂをテレビとしたが、これに限定されず、映像表示装置Ａと同様に携帯電話としてもよい。これにより、携帯端末同士で可視光通信を実現することができる。そして、付加情報を送信するために新たに赤外線通信装置等の通信装置を設けることなく、付加情報を送信することができる。また、可視光を搬送波として用いるため、簡便に大容量のデータを送信することが可能となる。
【００７３】
更に、実施の形態３では、バックライト１３ｃ，１３ｄとして白色発光ダイオードを採用したが、これに限定されず、有機ＥＬを採用してもよい。特に有機ＥＬ素子は、高速の変調が可能であり、表示部３１，４１から付加情報を容易に送信することができる。
【００７４】
（実施の形態４）ＬＥＤドットマトリックスディスプレイ
次に、実施の形態４による映像表示装置について説明する。実施の形態４による映像表示装置は、本発明による映像表示装置をＬＥＤディスプレイに適用したことを特徴としている。図１２は、実施の形態４による映像表示装置が適用された映像表示システムの全体構成図を示している。この映像表示システムは、映像表示装置１ｅと受光器１５ｅと付加情報発生器１６ｅとを備えている。図１２に示すように映像表示装置１ｅは、映像受信機１１ｅ、コントローラ１２ｅ、パネル部１３ｅを備えている。
【００７５】
映像受信機１１ｅは、放送局から送信されるＴＶ電波等を復調して、ベースバンド信号を抽出し、コントローラ１２ｅに出力する。パネル部１３ｅは、マトリックス状に配列された赤、緑、青の発光ダイオードから構成されている。受光器１５ｅはパネル部１３ｅが表示する映像を示す可視光を受光し、受光した可視光を復調して付加情報発生器１６ｅに出力する。付加情報発生器１６ｅは実施の形態１の付加情報発生器１６と同一であるため説明を省略する。
【００７６】
図１３は、図１２に示すコントローラ１２ｅの詳細な構成を示す図面である。コントローラ１２ｅは、データ抽出部１１１ｅ、映像コントローラ１１２ｅ、及びパネルコントローラ１１３ｅを備えている。データ抽出部１１１ｅは、映像受信機１１ｅから出力されたベースバンド信号から映像信号と第１付加情報と第２付加情報とを抽出し、映像信号を映像コントローラ１１２ｅに出力し、第１付加情報及び第２付加情報をパネルコントローラ１１３ｅに出力する。ここで、第１付加情報は、パネル部１３ｅのうち、所定の第１表示領域（例えば左半分）内に位置する赤、緑、青の発光ダイオードのうちいずれか１の発光ダイオードが出力する可視光に載せられ、第２付加情報は、パネル部１３ｅのうち第１付加情報が表示される領域とは異なる第２表示領域（例えば右半分）内に位置する赤、緑、青の発光ダイオードのうち、前記第１付加情報が載せられた色とは異なる色の可視光を発光する発光ダイオードが出力する可視光に載せられる。
【００７７】
映像コントローラ１１２ｅは、データ抽出部１１１ｅにより抽出された映像信号に従った駆動信号を生成し、各発光ダイオードに出力する。なお、映像コントローラ１１２ｅは例えば３０Ｈｚのフレームレートでパネル部１３ｅに映像を表示させる。
【００７８】
パネルコントローラ１１３ｅは、１ＭＨｚのキャリア信号を第１付加情報及び第２付加情報のそれぞれで変調して、第１変調信号及び第２変調信号を生成し、この第１変調信号を、第１表示領域を構成する各発光ダイオードに出力すると共に、第２変調信号を、第２表示領域を構成する各発光ダイオードに出力する。従って、第１表示領域に属する各発光ダイオードは、第１変調信号と映像コントローラ１１２ｅから出力された駆動信号とを合成した信号により駆動され、第２表示領域に属する各発光ダイオードは、第２変調信号と映像コントローラ１１２ｅから出力された駆動信号とを合成した信号により駆動される。
【００７９】
これにより、第１表示領域に属する発光ダイオードからは第１付加情報が載せられた映像が表示され、第２表示領域に属する発光ダイオードからは第２付加情報が載せられた映像が表示される。
【００８０】
以上説明したように実施の形態４による映像表示装置１ｅによれば、実施の形態１〜３と同様、ＬＥＤディスプレイにより可視光通信を実現することができる。また、付加情報として第１付加情報及び第２付加情報を含ませ、第１付加情報を、第１表示領域を構成する発光ダイオードから出力される可視光に載せ、第２付加情報を、第２表示領域を構成する発光ダイオードから出力される可視光に載せているため、同時に２種類の付加情報を送信することができる。
【００８１】
なお、実施の形態４では、パネル部１３ｅを第１及び第２表示領域に分け、各々から第１及び第２付加情報が載せられた可視光を出力させたが、これに限定されず、パネル部１３ｅを４つの領域に分け、各々から第１〜第４付加情報が載せられた可視光を出力させるというように、パネル部１３ｅを３つ以上の表示領域に分け、その各々から複数種類の付加情報が載せられた可視光を出力させるようにしてもよい。
【００８２】
（実施の形態５）
次に実施の形態５による映像表示装置について説明する。実施の形態５による映像表示装置は、レンチキュラーレンズを備える３次元ディスプレイであり、映像を示す可視光を用いて映像表示装置を視聴している視聴者の位置を検出し、検出結果に応じて、レンチキュラーレンズを左右に移動させることを特徴としている。
【００８３】
図１４は、実施の形態５による映像表示装置１ｆを示すブロック図である。映像表示装置１ｆは、映像受信機１１ｆ、コントローラ１２ｆ、バックライト１３ｆ、空間変調器１４ｆ、２個の受光器１６１，１６２、及びモータＭを備えている。映像受信機１１ｆは、実施の形態１の映像受信機１１と同様、ベースバンド信号をコントローラ１２ｆに出力する。この場合、ベースバンド信号は映像信号と音声信号とから構成され、付加情報が含まれていないものとする。バックライト１３ｆは実施の形態１のバックライト１３と同一であるため説明を省略する。
【００８４】
空間変調器１４ｆは、実施の形態１による空間変調器１４と同様の液晶パネルから構成されている。この液晶パネルは、図１５に示すように表示領域が２行３列の６個の領域に区画され、１行１列目の領域（視聴者からみて左上の領域）が第１表示領域Ｄ１として定められ、１行３列目の領域（視聴者からみて右上の領域）が第２表示領域Ｄ２として定められている。また、空間変調器１４の表面には左右にスライド可能にレンチキュラーレンズが取り付けられている。
【００８５】
図１６は、空間変調器１４ｆを上側からみた図面である。図１６に示すように空間変調器１４ｆの表面にはレンチキュラーレンズ１４１が、取り付けられている。レンチキュラーレンズ１４１は、細長いかまぼこ状のレンズ（レンズ要素）が複数配列されたレンズであり、かまぼこ状のレンズの配列方向が水平方向（左右方向）となるように、空間変調器１４ｆの表面に取り付けられている。また、空間変調器１４ｆは視聴者の左眼に認識させる映像（左映像）を表示する画素ＧＬと、視聴者の右眼に認識させる映像（右映像）を表示する画素ＧＲとが交互に配列されている。つまり、画素ＧＬには左映像を表示させ、画素ＧＲには右映像を表示させ、視聴者に３次元の映像を認識させる。
【００８６】
図１４に示すコントローラ１２ｆは、映像受信機１１ｆより出力されたベースバンド信号から映像信号と音声信号とを分離し、映像信号に従って空間変調器１４ｆを制御して映像を表示させ、音声信号に従った音声を図略のスピーカから出力させる。また、コントローラ１２ｆは、第１表示領域内の発光ダイオードを周波数ｆ１の正弦波（可視光をフレームレートより高い周波数で変調させるための情報の一例）で駆動し、かつ、第２表示領域内の発光ダイオードを周波数ｆ２の正弦波（可視光をフレームレートよりも高い周波数で変調させるための情報の一例）で駆動する。ここで、周波数ｆ１＝１０ＭＨｚであり、周波数ｆ２＝１２ＭＨｚである。なお、映像信号のフレームレートは３０Ｈｚであり、周波数ｆ１，ｆ２よりも十分に低いため、周波数ｆ１で変調された可視光と周波数ｆ２で変調された可視光を用いて、空間変調器１４ｆに映像を表示させても、映像に対してこの変調による影響は現れない。なお、周波数ｆ１及びｆ２の正弦波に代えて、周波数ｆ１及びｆ２の三角波や矩形波等の周期的に変化する任意の波を採用してもよい。
【００８７】
受光器１６１は、ＳｉのＰＩＮフォトダイオードや、高感度のアバランシェフォトダイオード等から構成され、周波数ｆ１で変調された可視光による視聴者からの反射光を受光する。受光器１６２は、ＳｉのＰＩＮフォトダイオードや、高感度のアバランシェフォトダイオード等から構成され、周波数ｆ２で変調された可視光による視聴者からの反射光を受光する。モータＭは、コントローラ１２ｆの制御の下、レンチキュラーレンズを左右方向に移動させる。
【００８８】
更に、コントローラ１２ｆは、受光器１６１により受光される周波数ｆ１の可視光と受光器１６２により受光される周波数ｆ２の可視光との位相差を求め、この位相差から視聴者の位置を求め、この位相差から視聴者の位置を求め、視聴者が３次元映像を見ることができる立体視領域に視聴者が存在するように、モータＭを駆動させてレンチキュラーレンズ１４１を左右方向に移動させる。
【００８９】
なお、レンチキュラーレンズを用いた場合、３次元映像を見ることができる領域である立体視領域は複数存在し、その領域外に視聴者が存在する場合、視聴者は右眼の像と左眼の像が反対となり逆立体視を見ることとなり、３次元映像を見ることができない。そこで、特定した視聴者の位置が立体視領域となるようにレンチキュラーレンズを移動させ、視聴者の存在する場所に応じて、３次元映像を見ることを可能としている。
【００９０】
具体的には、図１６に示すように、視聴者が位置Ａにいる場合、右映像は視聴者の右眼に入り、左映像は視聴者の左眼に入るため、立体映像を視認することが可能となる。
【００９１】
しかしながら、視聴者が位置Ｂにいる場合、左映像は視聴者の右眼に入り、右映像は視聴者の左眼に入るため、視聴者は、立体映像を認識することができなくなる。
【００９２】
そこで、コントローラ１２ｆは、視聴者の中央と画素ＧＰの中央とを結ぶ直線上にレンズ要素ＬＰのセンターＣＰがくるように、すなわち、センターＣＰが位置ＣＰｂと一致するように、モータＭを駆動させてレンチキュラーレンズ１４１を左右方向に移動させる。これにより、視聴者の右眼には右映像が入り、左眼には左映像が入ることになり、３次元映像を視認することが可能となる。
【００９３】
図１５（ａ）は、空間変調器１４ｆと視聴者との関係を示した図面である。図１５（ａ）に示すように、受光器１６１は、空間変調器１４ｆの左辺の中央位置に取り付けられ、受光器１６２は、空間変調器１４ｆの右辺の中央位置に取り付けられている。
【００９４】
そして、第１表示領域Ｄ１からは周波数ｆ１で変調された可視光Ｌ１が出力され、この可視光Ｌ１は視聴者により反射して受光器１６１で受光される。また、第２表示領域Ｄ２からは周波数ｆ２で変調された可視光Ｌ２が出力され、この可視光Ｌ２は視聴者により反射して受光器１６２で受光される。なお、可視光Ｌ１，Ｌ２は第１，第２表示領域Ｄ１，Ｄ２の全域から出力されているが、それぞれの平均をとれば、可視光Ｌ１の始点は第１表示領域Ｄ１の重心Ｏ１となり、可視光Ｌ２の始点を第２表示領域Ｄ２の重心Ｏ２となるため、可視光Ｌ１，Ｌ２の始点をＯ１，Ｏ２としてもかまわない。
【００９５】
図１５（ｂ）は空間変調器１４ｆを上からみたときの視聴者との関係を示した図面である。図１５（ｂ）に示すように視聴者が左右方向（空間変調器１４ｆの表示面と平行、かつ、水平方向と平行な方向）に移動すると、それに応じて可視光Ｌ１と可視光Ｌ２との光路差が変化するため、可視光Ｌ１と可視光Ｌ２との光路差が求まれば、視聴者の左右方向の位置を特定することができる。また、この光路差は、可視光Ｌ１と可視光Ｌ２との位相差によって一意に特定することができる。そのため、可視光Ｌ１と可視光Ｌ２との位相差が分かれば、視聴者の左右方向の位置を特定することができる。
【００９６】
そこで、コントローラ１２ｆは、受光器１６１により受光された可視光Ｌ１と受光器１６２により受光された可視光Ｌ２との位相差を求め、この位相差に従って視聴者の左右方向の位置を求め、立体視領域に視聴者が存在するように、レンチキュラーレンズ１４１を左右方向に移動させ、視聴者は自ら動かなくとも、３次元映像を見ることが可能となる。
【００９７】
以上説明したように、実施の形態５による映像表示装置によれば、第１表示領域Ｄ１から出力される可視光Ｌ１を周波数ｆ１で変調し、第２表示領域Ｄ２から出力される可視光Ｌ２を周波数ｆ２で変調し、両可視光を視聴者からの反射光を受光器１６１，１６２で受光し、両可視光の位相差を求め、この位相差からユーザの左右方向の位置を求め、立体視領域に視聴者が存在するように、レンチキュラーレンズ１４１を移動させているため、視聴者は左右方向のどの位置にいても、３次元映像を良好に視聴することができる。
【００９８】
なお、実施の形態５において、視聴者の位置を特定しているが、これに限定されず、視聴者の存在の有無を特定してもよい。この場合、バックライト１３ｆは、可視光Ｌ１，Ｌ２のうち、いずれか一方のみの可視光を出力する。そして、コントローラ１２ｆは、受光器１６１，１６２のいずれか一方の受光器で受光された可視光の強度に基づいて、視聴者の存在の有無を特定し、視聴者が存在しない場合は、映像表示装置１ｆの電源を切ったり、音声をミュートにしたりする等の制御を行えばよい。また、コントローラ１２ｆは、受光した可視光の強度の変化に基づいて、視聴者が動いているか否かを検出してもよい。
【００９９】
（実施の形態６）受光素子での位置検出
次に、実施の形態６による映像表示装置について説明する。図１７は、実施の形態６による映像表示装置を映像表示システムに適用したときの全体構成図を示している。図１７に示す映像表示システムは、映像表示装置１ｇと視聴者側装置８０とを備えている。視聴者側装置８０は、携帯電話やテレビのリモコン等から構成され、受光器８１，受光器８２、コントローラ８３、及び通信部８４を備えている。
【０１００】
受光器８１，８２は、ＳｉのＰＩＮフォトダイオードや、高感度のアバランシェフォトダイオード等から構成され、ユーザが装着する眼鏡や、サングラス等に取り付けられ、受光器８１は映像表示装置１ｆから出力される周波数ｆ１で変調された可視光Ｌ１を受光し、受光器８２は映像表示装置１ｆから出力される周波数ｆ２で変調された可視光Ｌ２を受光する。
【０１０１】
コントローラ８３は、実施の形態５のコントローラ１２ｆと同様にして、受光器８１，８２により受光された可視光Ｌ１，Ｌ２の位相差を算出し、算出した位相差から視聴者の左右方向の位置を特定する。通信部８４は、コントローラ８３により特定された視聴者の位置を示す信号を映像表示装置１ｇに送信する。ここで、通信部８４として、無線ＬＡＮ、ブルートゥース等の無線による通信装置や、イーサネット（登録商標）、ＵＳＢ等の有線による通信装置を採用することができる。
【０１０２】
映像表示装置１ｇは、映像受信機１１ｇ、コントローラ１２ｇ、バックライト１３ｇ、空間変調器１４ｇ、モータＭ、及び通信部２０を備えている。映像受信機１１ｇ〜バックライト１３ｇ、空間変調器１４ｇ、及びモータＭは実施の形態５の映像表示装置の同一名称の装置と同一であるため説明を省略する。通信部２０は、視聴者側装置８０の通信部８４から送信された視聴者の位置を示す信号を受信し、コントローラ１２ｇに出力する。ここで、通信部２０としては、通信部８４と同様、無線ＬＡＮ、ブルートゥース等の無線による通信装置や、１００ＢＡＳＥ―ＴＸ等のＬＡＮケーブルを用いた有線による通信装置を採用することができる。
【０１０３】
コントローラ１２ｇは、通信部２０により受信された信号から、視聴者の位置を特定し、実施の形態５と同様の手法により、立体視領域に視聴者が存在するようにモータＭを駆動させ、レンチキュラーレンズ１４１を左右方向に移動させる。
【０１０４】
図１８は、実施の形態６による映像表示装置１ｇと視聴者との関係を示す図面である。第１表示領域Ｄ１から出力された可視光Ｌ１は、受光器８１により受光され、第２表示領域Ｄ２から出力された可視光Ｌ２は、受光器８２により受光される。図１８に示すように視聴者が左右方向に移動すると、それに応じて可視光Ｌ１と可視光Ｌ２との光路が変わるため、可視光Ｌ１と可視光Ｌ２との位相差が分かれば、視聴者の左右方向の位置を特定することができる。そこで、コントローラ８３は、可視光Ｌ１と可視光Ｌ２との光路差から視聴者の左右方向の位置を特定している。
【０１０５】
以上説明したように実施の形態６による映像表示装置によれば、視聴者側装置８０に受光器８１，８２を設け、可視光Ｌ１と可視光Ｌ２とを受光させ、視聴者の位置を特定させ、特定した位置を示す信号を映像表示装置１ｇに送信させている。一方、この信号を受信した映像表示装置１ｇは、レンチキュラーレンズ１４１がくるようにレンチキュラーレンズ１４１を移動させるため、視聴者は左右方向のどの位置にいても、３次元映像を良好に視聴することができる。
【０１０６】
（実施の形態７）レーザディスプレイによる位置検出
次に、レーザディスプレイを用いて視聴者の位置を検出する実施の形態７について説明する。図１９は実施の形態７の映像表示装置を示す図面である。映像表示装置１ｈは、図６に示す実施の形態２の映像表示装置１ｂに対して、レンズ５６，５７が省かれ、モータ６４，６５、走査ミラー６６，６７を備えている。走査ミラー６７はビームスプリッタ５５から出力されたレーザビームを反射させ、スクリーンの水平方向（Ｘ方向）に走査するためのミラーである。走査ミラー６６は、走査ミラー６７により反射されたレーザビームを反射して、スクリーンの垂直方向（Ｙ方向）に走査するためにミラーである。なお、実施の形態７において走査ミラー６６，６７が空間変調器の一例に相当する。
【０１０７】
モータ６４は、コントローラ１２ｈの制御の下、レーザビームがＸ方向に走査されるように走査ミラー６７を回転軸Ｘ１を軸心として回転させる。モータ６５は、コントローラ１２ｈの制御の下、レーザビームがＹ方向に走査されるように走査ミラー６６を回転軸Ｙ１を軸心として回転させる。
【０１０８】
スクリーン５９は、例えば２行３列の合計６個の表示領域に区画され、１行１列目の表示領域が第１表示領域Ｄ１であり、１行３列目の表示領域が第２表示領域Ｄ２である。また、スクリーン５９の左辺及び右辺中央の各々には、視聴者からの反射光を受光する受光器５９１，５９２が配設されている。
【０１０９】
コントローラ１２ｈは、映像信号に従って、Ｂ〜Ｒコヒーレント光源５１〜５３及びモータ６４，６５を制御し、スクリーン５９に映像を表示させる。ここで、コントローラ１２ｈは、レーザビームが第１表示領域Ｄ１内を走査する期間、Ｂ〜Ｒコヒーレント光源５１〜５３を周波数ｆ１（映像信号のフレームレートより高い）の信号で駆動させ、レーザビームに周波数ｆ１の波を載せる。また、コントローラ１２ｈは、レーザビームが第２表示領域Ｄ２内を走査する期間、Ｂ〜Ｒコヒーレント光源５１〜５３を周波数ｆ２（周波数ｆ１より高く、周波数ｆ１とは異なる周波数）の信号で駆動させ、レーザビームに周波数ｆ２の波を載せる。
【０１１０】
更に、コントローラ１２ｈは、受光器５９１，５９２により受光された視聴者の可視光から実施の形態５と同様の手法を用いて、視聴者の位置を特定する。
【０１１１】
以上説明したように、実施の形態７による映像表示装置によれば、レーザディスプレイからなる映像表示装置においても、視聴者の位置を特定することが可能となる。
【０１１２】
本発明は以下の態様を採用することができる。
【０１１３】
（Ａ）実施の形態４において、第１表示領域から第１付加情報が載せられた可視光を出力し、第２表示領域から第２付加情報が載せられた、異なる波長の可視光を出力するものとしたが、これに限定されず、実施の形態５、６と同様にして、第１表示領域から周波数ｆ１の周期的な波が載せられた可視光を出力し、第２表示領域から周波数ｆ２の周期的な波が載せられた可視光を出力し、視聴者の位置、有無、動きを検出してもよい。
【０１１４】
（Ｂ）実施の形態５、６において、第１表示領域Ｄ１から周波数ｆ１の波が載せられた可視光が出力され、第２表示領域Ｄ２から周波数ｆ２の波が載せられた可視光が出力されていたが、これに限定されず、第１表示領域Ｄ１に可視光を出力するバックライトを構成する発光ダイオードのうち、所定の第１の色（波長）の発光ダイオードから出力される可視光と、第２表示領域Ｄ２に可視光を出力するバックライトを構成する発光ダイオードのうち、第１の色（波長）とは異なる第２の色（波長）の発光ダイオードから出力される可視光とに周波数ｆ１の正弦波を載せる。そして、受光器１６１，８１は第１の色を受光する受光器により構成し、受光器１６２，８２は前記第２の色を受光する受光器により構成して、視聴者の位置を検出するようにしてもよい。
【０１１５】
（Ｃ）実施の形態５，６と同様、スクリーン５９の表面にレンチキュラーレンズを左右方向に移動可能に配設し、視聴者が３次元映像を見ることができるようにこのレンチキュラーレンズを移動させてもよい。
【０１１６】
（Ｄ）上記実施の形態５〜７において、複数のスピーカを備えるサラウンドシステムのような音響設備を具備させ、コントローラは特定した視聴者の位置において、視聴者が良好な音を聞くことができるように複数のスピーカの音量と位相とを制御すればよい。これにより、視聴者は自ら動かなくとも、好みの場所で良好な音を聞くことができる。
【０１１７】
（Ｅ）実施の形態７において、２個の走査ミラー６６，６７を用いて、映像を検出していたが、これに限定されず、１個の走査ミラーを用いて１次元でレーザビームを走査するレーザディスプレイにおいても視聴者の位置を検出することも可能である。この場合、コントローラ１２ｈは、レーザビームが第１表示領域Ｄ１を走査するとき、周波数ｆ１の波がレーザビームに載り、レーザビームが第２表示領域Ｄ２を走査するとき、周波数ｆ２の波がレーザビームに載るようにＢ〜Ｒコヒーレント光源５１〜５３を制御すればよい。
【０１１８】
（Ｆ）実施の形態７において、コントローラ１２ｈは、第１の表示領域Ｄ１をレーザビームが走査する際、Ｂ〜Ｒコヒーレント光源５１〜５３のうちいずれか１の色のレーザビームのみに周波数ｆ１の波を載せ、第２の表示領域Ｄ２をレーザビームが走査する際、上記１の色とは異なる色のレーザビームにのみ周波数ｆ１の波を載せて、視聴者の位置検出を行ってもよい。
【０１１９】
（Ｇ）実施の形態７において、コントローラ１２ｈは、レーザビームに周波数ｆ１の波を載せ、このレーザビームの視聴者からの反射光を受光し、受光した反射光の強度から、視聴者の存在の有無を検出し、存在しない場合、ミュートにする、或いは省電力モードに移行する等の制御を行っても良い。
【０１２０】
（本発明の纏め）
（１）本発明による映像表示装置は、光源を備え、当該光源から出力される可視光を基に、映像を表示する表示部と、所定のフレームレートで前記表示部に映像を表示させると共に、前記可視光を前記フレームレートよりも高い周波数で強度変調させ、当該可視光に所定の情報を載せるコントローラとを備えることを特徴とする。
【０１２１】
この構成によれば、表示部を構成する光源から出力される可視光が、表示部に表示される映像のフレームレートよりも高い周波数で強度変調されているため、表示される映像に支障をきたすことなく、映像の可視光に所定の情報を載せることができ、可視光通信を実現することができる。また、映像を示す可視光が搬送波として用いられているため、所定の情報を送信するために別途光源等を設ける必要もなくなり、装置の低コスト化及び簡略化を図ることができる。
【０１２２】
（２）また、前記コントローラは、１ｋＨｚ以上の周波数で前記可視光を強度変調することが好ましい。
【０１２３】
この構成によれば、可視光は１ｋＨｚ以上の周波数で強度変調されており、テレビ等の映像のフレームレートである３０Ｈｚよりも遙かに高い周波数で強度変調されているため、映像に悪影響を及ぼすことなく可視光通信を実現することができる。
【０１２４】
（３）また、上記構成において、前記所定の情報は、映像信号に付加された付加情報であることが好ましい。
【０１２５】
この構成によれば、映像信号に付加される番組情報や文字情報等の付加情報が可視光に載せられるため、別途通信手段を設けなくとも、付加情報を映像表示装置から取り出すことができる。
【０１２６】
（４）また、上記構成において、前記所定の情報は、前記可視光を前記フレームレートよりも高い複数種類の周波数で強度変調するための複数種類の情報を含み、前記表示部は複数の表示領域を含み、前記表示部の各表示領域から出力された可視光による物体からの反射光を各々受光する受光器を更に備え、前記コントローラは、前記複数種類の情報を用いて強度変調された可視光の各々が、異なる表示領域から出力されるように前記光源を制御すると共に、各々の受光器により受光された反射光の位相差を基に、前記物体の位置を特定することが好ましい。
【０１２７】
この構成によれば、表示部を構成する複数の表示領域の各々から、異なる周波数で強度変調された可視光が出力され、これらの可視光による物体からの反射光が受光され、受光された反射光の位相差を基に、視聴者の位置が特定されている。
【０１２８】
ここで、表示部に対する横方向上どの場所に視聴者が存在するかによって、ある表示領域から出力された可視光が視聴者により反射されて受光器にまで戻ってくるまでの光路と、別の表示領域から出力された可視光が視聴者により反射されて受光器にまで戻ってくるまでの光路との差は異なるものとなる。ここで、これら可視光の光路の差はこれらの可視光の位相差によって一意に決定される。そのため、コントローラは、これらの可視光の位相差を求めることで、視聴者がどの位置に存在するかを一意に特定することが可能となる。
【０１２９】
（５）また、上記構成において、前記光源は各々波長の異なる複数種類の可視光を出力し、前記所定の情報は、前記可視光を前記フレームレートよりも高い周波数で強度変調するための情報を含み、前記表示部は複数の表示領域を含み、各表示領域から出力された可視光による物体からの反射光を各々受光する受光器を更に備え、前記コントローラは、表示領域毎に強度変調する可視光の種類が異なるものとなるように前記光源を制御すると共に、各々の受光器により受光された反射光の位相差を基に、前記物体の位置を特定することが好ましい。
【０１３０】
この構成によれば、各表示領域からは他の表示領域と波長の異なり、かつ、フレームレートよりも高い周波数で強度変調された可視光が出力されるため、ある表示領域から出力された可視光が視聴者により反射されて受光器にまで戻ってくるまでの光路と、別の表示領域から出力された可視光が視聴者により反射されて受光器にまで戻ってくるまでの光路との差は異なるものとなる。ここで、これら可視光の光路の差はこれらの可視光の位相差によって一意に決定される。そのため、コントローラは、これらの可視光の位相差を求めることで、視聴者がどの位置に存在するかを一意に特定することが可能となる。
【０１３１】
（６）また、上記構成において、前記物体は視聴者であり、前記表示部は、３次元映像を表示し、前記コントローラは、特定した視聴者の位置において、視聴者が３次元映像を視認できるように前記表示部を制御するこが好ましい。
【０１３２】
この構成によれば、視聴者は自ら移動することなく好み場所で良好な３次元映像を視聴することができる。
【０１３３】
（７）また、上記構成において、スピーカを更に備え、前記物体は視聴者であり、前記コントローラは、特定した視聴者の位置を基に、前記スピーカの音量及び位相を調整することが好ましい。
【０１３４】
この構成によれば、視聴者は自ら移動することなく、好みの場所で、良好な音を聞くことが可能となる。
【０１３５】
（８）また、上記構成において、視聴者からの反射光を受光する受光器を更に備え、前記所定の情報は、前記可視光を前記フレームレートよりも高い周波数で強度変調するための情報を含み、前記コントローラは、前記受光器により受光された反射光の強度から視聴者の有無及び動きの少なくともいずれか一方を検出することが好ましい。
【０１３６】
この構成によれば、映像を示す可視光を用いて視聴者の有無が検出されているため、視聴者が存在しない場合は、映像表示装置の電源を切ったり、節電モードに移行したりといった制御が可能となる。
【０１３７】
（９）映像信号を受信する映像受信機を更に備え、前記表示部は、前記光源としてのバックライトと、前記バックライトからの可視光を空間変調して映像を表示する空間変調器とを備え、前記コントローラは、前記映像信号に従って前記空間変調器を空間変調させると共に、前記バックライトから出力される可視光を強度変調することで、前記可視光に前記所定の情報を載せることが好ましい。
【０１３８】
この構成によれば、液晶テレビのような、バックライトと、バックライトからの可視光を空間変調して映像を表示する空間変調器とを備える映像表示装置において、可視光通信を実現することができる。
【０１３９】
（１０）前記所定の情報は前記映像信号に付加された付加情報であり、前記コントローラは、前記フレームレートよりも高い周波数のキャリア信号を前記付加情報で変調し、変調したキャリア信号で前記バックライトを駆動することが好ましい。
【０１４０】
この構成によれば、映像信号に付加される番組情報や文字情報等の付加情報で映像のフレームレートよりも高い周波数のキャリア信号が変調され、この変調信号によりバックライトが駆動されているため、映像に悪影響を及ぼすことなく、より精度のよい可視光通信を実現することができる。
【０１４１】
（１１）前記所定の情報は、前記可視光を前記フレームレートよりも高い複数種類の周波数で強度変調するための複数種類の情報を含み、前記空間変調器は複数の表示領域を含み、前記空間変調器の各表示領域から出力された可視光による物体からの反射光を各々受光する受光器を更に備え、前記コントローラは、前記複数種類の情報を用いて強度変調された可視光の各々が、異なる表示領域から出力されるように前記バックライトを制御すると共に、各々の受光器により受光された反射光の位相差を基に、前記物体の位置を特定することが好ましい。
【０１４２】
この構成によれば、上記（４）と同様、液晶テレビジョンのようなバックライトを備える映像表示装置においても、視聴者の位置を特定することができる。
【０１４３】
（１２）前記バックライトは、各々波長の異なる複数種類の可視光を出力し、前記所定の情報は、前記可視光を前記フレームレートよりも高い周波数で強度変調するための情報を含み、前記空間変調器は複数の表示領域を含み、各表示領域から出力された可視光による物体からの反射光を各々受光する受光器を更に備え、前記コントローラは、表示領域毎に強度変調する可視光の種類が異なるものとなるように前記バックライトを制御すると共に、各々の受光器により受光された反射光の位相差を基に、前記物体の位置を特定することが好ましい。
【０１４４】
この構成によれば、上記（５）と同様、液晶テレビジョンのようなバックライトを備える映像表示装置においても、視聴者の位置を特定することができる。
【０１４５】
（１３）前記物体は視聴者であり、前記空間変調器は、凸状のレンズ体から構成され、このレンズ体の配列方向が横方向となり、かつ、横方向に移動可能に取り付けられたレンチキュラーレンズを表面に備え、前記コントローラは、特定した視聴者の位置が、立体視領域内となるように前記レンチキュラーレンズを移動させることが好ましい。
【０１４６】
この構成によれば、視聴者は自ら移動することなく、好み場所で良好な３次元映像を視聴することができる。
【０１４７】
（１４）スピーカを更に備え、前記物体は視聴者であり、前記コントローラは、特定した視聴者の位置を基に、前記スピーカの音量及び位相を調整することが好ましい。この構成によれば、視聴者は自ら移動することなく、好みの場所で良好な音を聴くことができる。
【０１４８】
（１５）視聴者からの反射光を受光する受光器を更に備え、前記所定の情報は、前記可視光を前記フレームレートよりも高い周波数で強度変調するための情報を含み、前記コントローラは、前記受光器により受光された反射光の強度から視聴者の有無及び動きの少なくともいずれか一方を検出することが好ましい。
【０１４９】
この構成によれば、映像を示す可視光を用いて視聴者の有無が検出されているため、視聴者が存在しない場合は、映像表示装置の電源を切ったり、節電モードに移行したりといった制御が可能となる。
【０１５０】
（１６）前記バックライトは、発光ダイオードから構成されることが好ましい。
【０１５１】
この構成によれば、高速変調が可能であり、指向性も有している発光ダイオードによりバックライトを構成したため、所定の情報を精度よく可視光に載せることができる。
【０１５２】
（１７）前記発光ダイオードは、赤、緑、青の発光ダイオードから構成されることが好ましい。この構成によれば、カラーの映像を表示することができる。
【０１５３】
（１８）映像信号を受信する映像受信機を更に備え、前記表示部は、コヒーレント光源と、前記コヒーレント光源から出力されたコヒーレント光を空間変調する空間変調器と、前記空間変調器により空間変調されたコヒーレント光を投影するスクリーンとを備え、前記コントローラは、前記映像信号に従って前記空間変調器を空間変調させると共に、前記コヒーレント光を強度変調することで、前記所定の情報を当該コヒーレント光に載せることが好ましい。
【０１５４】
この構成によれば、コヒーレント光源と空間変調器とスクリーンとを備えるレーザディスプレイのような映像表示装置においても可視光通信を実現することができる。
【０１５５】
（１９）また、上記構成において、前記所定の情報は前記映像信号に付加された付加情報であり、前記コントローラは、前記フレームレートよりも高い周波数のキャリア信号を前記付加情報で変調し、変調したキャリア信号で前記コヒーレント光源を駆動することが好ましい。
【０１５６】
この構成によれば、映像信号に付加される番組情報や文字情報等の付加情報で映像のフレームレートよりも高い周波数のキャリア信号が変調され、この変調信号によりコヒーレント光源が駆動されているため、映像に悪影響を及ぼすことなく、より精度のよい可視光通信を実現することができる。
【０１５７】
（２０）また、上記構成において、前記スクリーンの各表示領域から出力された可視光による物体からの反射光を各々受光する受光器を更に備え、前記コントローラは、前記複数種類の情報を用いて強度変調された可視光の各々が、異なる表示領域から出力されるように前記コヒーレント光源を制御すると共に、各々の受光器により受光された反射光の位相差を基に、前記物体の位置を特定することが好ましい。
【０１５８】
この構成によれば、上記（４）と同様、レーザディスプレイのような映像表示装置においても、視聴者の位置を特定することができる。
【０１５９】
（２１）また、上記構成において、前記コヒーレント光源は、各々波長の異なる複数種類の可視光を出力する複数のコヒーレント光源を含み、前記所定の情報は、前記可視光を前記フレームレートよりも高い周波数で強度変調するための情報を含み、前記スクリーンは複数の表示領域を含み、各表示領域から出力された可視光による物体からの反射光を各々受光する受光器を更に備え、前記コントローラは、表示領域毎に強度変調する可視光の種類が異なるものとなるように前記コヒーレント光源を制御すると共に、各々の受光器により受光された反射光の位相差を基に、前記物体の位置を特定することが好ましい。
【０１６０】
この構成によれば、上記（５）と同様、レーザディスプレイのような映像表示装置においても、視聴者の位置を特定することができる。
【０１６１】
（２２）また、上記構成において、前記物体は視聴者であり、前記スクリーンは、凸状のレンズ体から構成され、このレンズ体の配列方向が横方向となり、かつ、横方向に移動可能に取り付けられたレンチキュラーレンズを表面に備え、前記コントローラは、特定した視聴者の位置が、立体視領域となるように前記レンチキュラーレンズを移動させることが好ましい。
【０１６２】
この構成によれば、視聴者は自ら移動することなく、好み場所で良好な３次元映像を視聴することができる。
【０１６３】
（２３）また、上記構成において、スピーカを更に備え、前記物体は視聴者であり、前記コントローラは、特定した視聴者の位置を基に、前記スピーカの音量及び位相を調整することが好ましい。この構成によれば、視聴者は自ら移動することなく、好みの場所で良好な音を聴くことができる。
【０１６４】
（２４）また、上記構成において、視聴者からの反射光を受光する受光器を更に備え、前記所定の情報は、前記可視光を前記フレームレートよりも高い周波数で強度変調するための情報を含み、前記コントローラは、前記受光器により受光された反射光の強度から視聴者の有無及び動きの少なくともいずれか一方を検出することが好ましい。
【０１６５】
この構成によれば、映像を示す可視光を用いて視聴者の有無が検出されているため、視聴者が存在しない場合は、映像表示装置の電源を切ったり、節電モードに移行したりといった制御が可能となる。
【０１６６】
（２５）また、上記構成において、前記コヒーレント光源は、半導体レーザ又は波長変換型レーザであり、前記コヒーレント光源は、半導体レーザ又は波長変換型レーザであり、前記コントローラは、前記フレームレートよりも高い周波数のキャリア信号を前記付加情報で変調し、変調したキャリア信号で前記半導体レーザ又は前記波長変換型レーザを駆動することが好ましい。
【０１６７】
この構成によれば、映像のフレームレートよりも高い周波数のキャリア信号を番組情報や文字情報等の付加情報で変調し、この変調したキャリア信号で半導体レーザ又は波長変換型レーザを駆動しているため、付加情報を可視光に精度よく載せることができる。
【０１６８】
（２６）前記コヒーレント光源は、赤、緑、青のコヒーレント光源から構成されることが好ましい。この構成によればカラーの映像を表示することができる。
【０１６９】
（２７）映像信号を受信する映像受信機を更に備え、前記表示部は、マトリックス状に配列され、各画素に対応する発光体から構成され、前記コントローラは、前記映像信号に従って前記光源を駆動させて前記表示部に映像を表示させると共に、前記発光体から出力される可視光を強度変調して、当該可視光に前記所定の情報を載せることが好ましい。
【０１７０】
この構成によれば、ＬＥＤドットマトリックスディスプレイ等の映像表示装置による可視光通信を実現することができる。
【０１７１】
（２８）また、上記構成において、前記所定の情報は前記映像信号に付加された付加情報であり、前記コントローラは、前記フレームレートよりも高い周波数のキャリア信号を前記付加情報で変調し、変調したキャリア信号で前記光源を駆動することが好ましい。
【０１７２】
この構成によれば、映像のフレームレートよりも高い周波数のキャリア信号を番組情報や文字情報等の付加情報で変調し、この変調したキャリア信号で光源を駆動しているため、付加情報を可視光に精度よく載せることができる。
【０１７３】
（２９）また、上記構成において、前記所定の情報は、前記可視光を前記フレームレートよりも高い複数種類の周波数で強度変調するための複数種類の情報を含み、前記表示部は複数の表示領域を含み、前記表示部の各表示領域から出力された可視光による物体からの反射光を各々受光する受光器を更に備え、前記コントローラは、前記複数種類の情報を用いて強度変調された可視光の各々が、異なる表示領域から出力されるように前記発光体を制御すると共に、各々の受光器により受光された反射光の位相差を基に、前記物体の位置を特定することが好ましい。
【０１７４】
この構成によれば、上記（４）同様、ＬＥＤドットマトリックスディスプレイ等の映像表示装置においても視聴者の位置を特定することができる。
【０１７５】
（３０）また、上記構成において、前記発光体は、各々波長の異なる複数種類の可視光を出力する複数の発光体を含み、前記所定の情報は、前記可視光を前記フレームレートよりも高い周波数で強度変調するための情報を含み、前記表示部は複数の表示領域を含み、各表示領域から出力された可視光による物体からの反射光を各々受光する受光器を更に備え、前記コントローラは、表示領域毎に強度変調する可視光の種類が異なるものとなるように前記発光体を制御すると共に、各々の受光器により受光された反射光の位相差を基に、前記物体の位置を特定することが好ましい。
【０１７６】
この構成によれば、上記（５）同様、ＬＥＤドットマトリックスディスプレイ等の映像表示装置においても視聴者の位置を特定することができる。
【０１７７】
（３１）また、上記構成において、前記物体は視聴者であり、前記表示部は、凸状のレンズ体から構成され、このレンズ体の配列方向が横方向となり、かつ、横方向に移動可能に取り付けられたレンチキュラーレンズを表面に備え、前記コントローラは、特定した視聴者の位置が、立体視領域となるように前記レンチキュラーレンズを移動させることが好ましい。
【０１７８】
この構成によれば、視聴者は自ら移動することなく好みの場所において良好な３次元映像を視聴することができる。
【０１７９】
（３２）また、上記構成において、スピーカを更に備え、前記物体は視聴者であり、前記コントローラは、特定した視聴者の位置を基に、前記スピーカの音量及び位相を調整することが好ましい。
【０１８０】
この構成によれば、視聴者は自ら移動することなく好みの場所において良好な音を聴くことができる。
【０１８１】
（３３）また、上記構成において、視聴者からの反射光を受光する受光器を更に備え、前記所定の情報は、前記可視光を前記フレームレートよりも高い周波数で強度変調するための情報を含み、前記コントローラは、前記受光器により受光された反射光の強度から視聴者の有無及び動きの少なくともいずれか一方を検出することが好ましい。
【０１８２】
この構成によれば、映像を示す可視光を用いて視聴者の有無が検出されているため、視聴者が存在しない場合は、映像表示装置の電源を切ったり、節電モードに移行したりといった制御が可能となる。
【０１８３】
（３４）前記コントローラは、前記映像信号に従った前記光源の駆動信号と、前記所定の情報で前記フレームレートより周波数の高いキャリア信号を変調した変調信号とを合成した信号で前記光源を駆動することが好ましい。
【０１８４】
この構成によれば、映像信号に悪影響を及ぼすことなく、精度良く可視光に所定の情報を載せることができる。
【０１８５】
（３５）前記光源は発光ダイオード又は有機ＥＬであることが好ましい。
【０１８６】
この構成によれば、可視光に所定の情報を精度よく載せることができる。
【０１８７】
（３６）前記発光体は、赤、緑、青の発光体であることが好ましい。この構成によれば、カラーの映像を表示することができる。
【０１８８】
（３７）本発明による映像表示システムは、複数の映像表示装置から構成される映像表示システムであって、前記映像表示装置は、光源を備え、当該光源から出力される可視光を基に、映像を表示する表示部と、所定のフレームレートで前記表示部に映像を表示させると共に、前記可視光を前記フレームレートよりも高い周波数で強度変調させ、当該可視光に、映像信号に付加された付加情報を載せるコントローラと、前記表示部に表示された映像を示す可視光を受光し、受光した可視光から付加情報を抽出する受光器とを備え、前記複数の映像表示装置間で相互に可視光を用いた通信を行うことを特徴とする。
【０１８９】
この構成によれば、映像表示装置間で相互に可視光通信を行うことができる。
【０１９０】
（３８）前記複数の映像表示装置のうち少なくともいずれか一つを携帯端末に具備させることが好ましい。この構成によれば、携帯端末と映像表示装置との間、或いは携帯端末同士で可視光通信を行うことができる。
【０１９１】
（３９）前記表示部に表示される映像を示す可視光の強度が前記受光器の検出下限値以下とならないように、前記可視光の強度の下限値を設定していることが好ましい。この構成によれば、真っ暗のシーンにおいても可視光通信を行うことができる。
【０１９２】
（４０）本発明による映像表示システムは、光源を備え、当該光源から出力される可視光を基に、映像を表示する表示部と、所定のフレームレートで前記表示部に映像を表示させると共に、前記可視光を前記フレームレートよりも高い周波数で強度変調させ、当該可視光に、映像信号に付加された付加情報を載せるコントローラとを備える映像表示装置と、前記表示部に表示された映像を示す可視光を受光し、受光した可視光から付加情報を抽出する受光器と、受光器により抽出された付加情報を出力する付加情報発生器とを備えることを特徴とする。
【０１９３】
この構成によれば、上記（１）と同様の作用効果を奏することができる。
【０１９４】
（４１）本発明による映像表示システムは、映像表示装置と視聴者側装置とから構成される映像表示システムであって、前記映像表示装置は、光源を備え、当該光源から出力される可視光を基に、映像を表示する表示部と、前記可視光を前記映像のフレームレートよりも高い複数種類の周波数で強度変調するための複数種類の情報を用いて前記光源からの可視光を強度変調し、複数種類の周波数で強度変調した可視光の各々が、前記表示部の異なる表示領域から出力されるように前記光源を制御するコントローラとを備え、前記視聴者側装置は、前記表示部の各表示領域から出力された可視光による物体からの反射光を各々受光する受光器と、各々の受光器により受光された反射光の位相差を基に、前記物体の位置を特定する位置特定部とを備えることを特徴とする。
【０１９５】
この構成によれば、上記（４）と同様にして、映像を示す可視光を用いて視聴者の位置を特定することができる。
【０１９６】
（４２）本発明による映像表示システムは、映像表示装置と視聴者に携帯される視聴者側装置とから構成される映像表示システムであって、前記映像表示装置は、各々波長の異なる複数種類の可視光を出力する光源を備え、当該光源から出力される可視光を基に、映像を表示する表示部と、前記可視光を前記映像のフレームレートよりも高い周波数で強度変調するための情報を用い、前記表示部の表示領域毎に強度変調する可視光の種類が異なるものとなるように前記光源を制御するコントローラとを備え、前記視聴者側装置は、前記表示部の各表示領域から出力された可視光による物体からの反射光を各々受光する受光器と、各々の受光器により受光された反射光の位相差を基に、前記物体の位置を特定する位置特定部とを備えることを特徴とする。
【０１９７】
この構成によれば、上記（５）と同様にして、映像を示す可視光を用いて視聴者の位置を特定することができる。
【０１９８】
（４３）また、上記構成において、前記表示部は、凸状のレンズ体から構成され、このレンズ体の配列方向が横方向となり、かつ、横方向に移動可能に取り付けられたレンチキュラーレンズを備え、前記視聴者側装置は、前記位置特定部により特定された視聴者の位置情報を前記映像表示装置に送信する送信手段を更に備え、前記映像表示装置は、前記送信手段により送信された視聴者の位置情報を受信する受信手段を更に備え、前記コントローラは、前記受信手段により受信された視聴者の位置が、立体視領域となるように前記レンチキュラーレンズを移動させることが好ましい。
【０１９９】
この構成によれば、視聴者は自ら移動することなく好みの場所において良好な３次元映像を視聴することができる。
【産業上の利用可能性】
【０２００】
本発明による映像表示装置は、液晶テレビ、有機ＥＬディスプレイや、レーザ投射型テレビに利用可能である。また、表示装置を有する携帯端末機にも利用可能である。
【図面の簡単な説明】
【０２０１】
【図１】本発明の実施の形態１による映像表示装置が適用された映像表示システムの全体構成図を示している。
【図２】図１に示す映像受信機に電波を送信する送信システムの一例を示す図面である。
【図３】アナログのベースバンド信号を処理するコントローラの詳細な構成を示すブロック図である。
【図４】ディジタルのベースバンド信号を処理するコントローラの詳細な構成を示すブロック図である。
【図５】図４に示すコントローラの処理の流れを示す図面である。
【図６】実施の形態２による映像表示装置が適用された映像表示システムの全体構成図を示している。
【図７】図６に示すコントローラの詳細な構成を示すブロック図である。
【図８】コヒーレント光源としてガスレーザを採用したときの映像表示装置が適用された映像表示システムの全体構成図である。
【図９】実施の形態３による映像表示装置が適用された映像表示システムの全体構成図を示している。
【図１０】図９に示す映像表示装置Ａのブロック構成図を示している。
【図１１】図９に示す映像表示装置Ｂのブロック構成図を示している。
【図１２】実施の形態４による映像表示装置が適用された映像表示システムの全体構成図を示している。
【図１３】図１２に示すコントローラの詳細な構成を示す図面である。
【図１４】実施の形態５による映像表示装置を示すブロック図である。
【図１５】（ａ）は、空間変調器と視聴者との関係を示した図面であり、（ｂ）は空間変調器を上からみたときの視聴者との関係を示した図面である。
【図１６】空間変調器を上側からみた図面である。
【図１７】実施の形態６による映像表示装置を映像表示システムに適用したときの全体構成図を示している。
【図１８】実施の形態６による映像表示装置と視聴者との関係を示す図面である。
【図１９】実施の形態７による映像表示装置を示す図面である。
【符号の説明】
【０２０２】
１，１ｂ，１ｅ，１ｆ，１ｇ，１ｈ  映像表示装置
１１，１１ｃ，１１ｄ，１１ｅ，１１ｆ，１１ｇ  映像受信機
１２，１２ａ，１２ｂ，１２ｃ，１２ｄ，１２ｅ，１２ｆ，１２ｇ，１２ｈ  コントローラ
１３，１３ｃ，１３ｄ，１３ｆ，１３ｇ  バックライト
１３ｅ  パネル部
１４，１４ｃ，１４ｄ，１４ｆ，１４ｇ  空間変調器
１５，１５ｅ  受光器
１６，１６ｅ  付加情報発生器
２０  通信部
３１ｖ  ビデオ
３１，４１  表示部
３２ｖ  キャリア信号発生器
３２  操作部
３３，４２  受光器
３３ｖ  変調器
５１，５２，５３  コヒーレント光源
５４，５５  ビームスプリッタ
５６，５７  レンズ
５８  空間変調器
５９  スクリーン
６１，６２，６３  外部変調素子
６４，６５  モータ
６６，６７  走査ミラー
８０  視聴者側装置
８１，８２  受光器
８３  コントローラ
８４  通信部
１１１ｅ  データ抽出部
１１１  復調器
１１２ｅ  映像コントローラ
１１３ｅ  パネルコントローラ
１２１ａ  データ抽出部
１２１  ローパスフィルタ
１２２  ハイパスフィルタ
１２２ａ  音声コントローラ
１２３ｂ  ＤＭＤコントローラ
１２３  液晶コントローラ
１２３ａ  液晶コントローラ
１２４  バックライトコントローラ
１２４ａ  バックライトコントローラ
１２４ｂ  レーザコントローラ
１２５  キャリア信号発生器
１２５ａ  キャリア信号発生器
１２６  バンドパスフィルタ
１２７  音声コントローラ
１４１  レンチキュラーレンズ
１６１，１６２  受光器
【図１】
0004740857.tif 000002
【図２】
0004740857.tif 000003
【図３】
0004740857.tif 000004
【図４】
0004740857.tif 000005
【図５】
0004740857.tif 000006
【図６】
0004740857.tif 000007
【図７】
0004740857.tif 000008
【図８】
0004740857.tif 000009
【図９】
0004740857.tif 000010
【図１０】
0004740857.tif 000011
【図１１】
0004740857.tif 000012
【図１２】
0004740857.tif 000013
【図１３】
0004740857.tif 000014
【図１４】
0004740857.tif 000015
【図１５】
0004740857.tif 000016
【図１６】
0004740857.tif 000017
【図１７】
0004740857.tif 000018
【図１８】
0004740857.tif 000019
【図１９】
0004740857.tif 000020